(57)【要約】【課題】重ねプリント基板が捨て板を設けることなく円滑に切断できるようにして無駄な資材の消費をなくするとともに、切断作業が迅速に行えるようにする。【解決手段】多数枚重ねた重ねプリント基板（４０）をテーブル（１１）に固定し、回転鋸（２５）の切断位置を重ねプリント基板（４０）の重ね厚の中途位置に設定し、この状態で回転鋸（２５）を下向き削り方向に回転させながら重ねプリント基板（４０）の一方側から他方側に向けて相対的に移動させ、次いで回転鋸（２５）の切断位置を重ねプリント基板（４０）の重ね厚を貫通する位置に設定し、この状態で回転鋸（２５）を同方向に回転させながら重ねプリント基板（４０）の他方側から一方側に向けて相対的に移動させる。【選択図】        図１
2004209584.tif 000002
【特許請求の範囲】
【請求項１】
多数枚重ねた重ねプリント基板（４０）をテーブル（１１）に載置するとともに、クランプ装置（１２）により、前記重ねプリント基板（４０）をテーブル（１１）に固定し、回転鋸（２５）の切断位置を前記重ねプリント基板（４０）の重ね厚の中途位置に設定し、この状態で前記回転鋸（２５）を下向き削り方向に回転させながら前記重ねプリント基板（４０）の一方側から他方側に向けて相対的に移動させ、次いで前記回転鋸（２５）の切断位置を前記重ねプリント基板（４０）の重ね厚を貫通する位置に設定し、この状態で前記回転鋸（２５）を同方向に回転させながら前記重ねプリント基板（４０）の他方側から一方側に向けて相対的に移動させて前記重ねプリント基板（４０）を切断することを特徴とするプリント基板の切断方法。
【発明の詳細な説明】
【０００１】
【発明の属する技術分野】
本発明は、多数のプリント基板を重ねて切断するプリント基板の切断方法に関するものである。
【０００２】
【従来の技術】
従来の技術として、図２に示すものがあった。図２において、１は切断機のテーブルであり、該テーブル１に多数枚重ねた重ねプリント基板２を載置する。この重ねプリント基板２は、その上下両面を例えば厚さ約１ｍｍのベークライト製の捨て板３，４、により挟んで上記テーブル１に載置し、これらをクランプ装置５により上方から加圧して上記テーブル１に固定する。
【０００３】
６は上記重ねプリント基板２及び捨て板３，４を切断する回転鋸である。この回転鋸６は、その切断刃６ａが上部側の捨て板３に対して若干上方に位置する如く設定し、この状態で図２に示すように、回転鋸６を矢印Ａ方向に回転させながら右方、つまり矢印Ｘ方向に移動させて上記重ねプリント基板２及び捨て板３，４を切断し、重ねプリント基板２の上下面に位置するプリント基板２ａ，２ｂを捨て板３，４で押さえることにより、この部にバリが発生するのを防止する。
【０００４】
【発明が解決しようとする課題】
上記従来のものは、切断時にプリント基板にバリが発生するのを防止するために、捨て板３，４を使用していたので、高価な捨て板を要するとともに、テーブル１への載置作業に手数を要するものであった。本発明は、捨て板を使用することなく切断面にバリを発生させないで切断することができる新規なプリント基板の切断方法を得ることを目的とする。
【０００５】
【課題を解決するための手段】
本発明は、上記目的を達成するために以下の如く構成したものである。即ち、多数枚重ねた重ねプリント基板をテーブルに載置するとともに、クランプ装置により、前記重ねプリント基板をテーブルに固定し、回転鋸の切断位置を前記重ねプリント基板の重ね厚の中途位置に設定し、この状態で前記回転鋸を下向き削り方向に回転させながら前記重ねプリント基板の一方側から他方側に向けて相対的に移動させ、次いで前記回転鋸の切断位置を前記重ねプリント基板の重ね厚を貫通する位置に設定し、この状態で前記回転鋸を同方向に回転させながら前記重ねプリント基板の他方側から一方側に向けて相対的に移動させて前記重ねプリント基板を切断する構成にしたものである。
【０００６】
【発明の実施の形態】
以下本発明の実施の形態を図面に基いて説明する。図面において、図１は本発明に適用される切断機の概略正面図である。図１において、１０は本発明による切断機であり、正面側の上部に重ねプリント基板４０が載置されるテーブル１１を有し、該テーブル１１の上部側に重ねプリント基板４０をテーブル１１上に加圧固定するクランプ装置１２を有する。
【０００７】
上記テーブル１１の下部側の機台にガイドレール１３及び送りねじ（ボールねじ）１４を左右方向に延長させて取り付け、上記ガイドレール１３に可動台１６を左右摺動可能に取り付けるとともに、該可動台１６をナット１７を介して上記送りねじ１４に連結する。送りねじ１４は左部に設けた送りモーター１５によって正逆回転され、上記可動台１６を左右方向に移動制御する。
【０００８】
上記可動台１６にカッターユニット２０を取り付ける。即ち、上記可動台１６に駆動モーター２１と支点軸２２とを前後方向に向けて同軸に取り付け、支点軸２２にアーム２３を左方に突出させて回動可能に取り付け、該アーム２３の左右中心部に軸受２４を介して回転鋸２５を前後軸心を中心として回転自在に取り付ける。上記回転鋸２５はプーリー２６、ベルト２７を介して上記駆動モーター２１に伝導連結し、該モーター２１によって矢印Ａ方向（下向き削り方向）に回転させる。
【０００９】
上記可動台１６の左端部に回転鋸２５の昇降装置３０を取り付ける。即ち、可動台１６の左端部にホルダ３１を第１支点ピン３２を介して前後軸心を中心として回動可能に取り付け、該ホルダ３１に昇降ねじ（ボールねじ軸）３３を上方に突出させて螺合させ、ホルダ３１の下部に上記昇降ねじ３３を正逆回転させる昇降モーター（ステッピングモーター）３４を取り付ける。また、前述したアーム２３の左端部に連結ナット３５を第２支点ピン３６を介して前後軸心を中心として回動可能に取り付け、該連結ナット３５に上記昇降ねじ３３を螺合させる。
【００１０】
そして、上記昇降モーター３４を正逆回転させることにより、昇降ねじ３３、連結ナット３５を介して上記アーム２３を支点軸２２を中心として上下方向に回動させ、該アーム２３を介して前述した回転鋸２５を上下方向の所定位置に設定する。
【００１１】
次に上記実施例の作動態様について説明する。まず、テーブル１１に多数枚重ねた重ねプリント基板４０を載置し、クランプ装置１２を作動させて該重ねプリント基板４０をテーブル１１に固定する。上記重ねプリント基板４０は、例えば、厚さ約０．２ｍｍのプリント基板を５０枚〜１００枚重ね、その重ね厚さが約１０ｍｍ〜２０ｍｍとなるようにする。
【００１２】
次いで、カッターユニット２０を初期位置、つまり切断機１０の左方位置にした状態で昇降モーター３４を作動させ、図１の左部で示すように、回転鋸２５の切断位置、即ち上端の刃２５ａを上記重ねプリント基板４０の重ね厚の中途位置に設定する。この状態で駆動モーター２１を起動させて回転鋸２５を矢印Ａ方向（下向き削り方向）に回転させ、次いで送りモーター１５を作動させ、送りねじ１４、可動台１６を介して上記回転鋸２５を右方（矢印Ｘ１）方向に移動させて上記重ねプリント基板４０の下部側を切断する。この場合、重ねプリント基板４０の最下面は回転鋸２５の刃２５ａが下向き削り（矢印Ａ方向）によって切断されるため、この部にバリが発生しなくなる。
【００１３】
次いで上記昇降モーター３４を作動させ、図１の右部で示すように、アーム２３を矢印Ｙ１方向に回動させ、上記回転鋸２５の切断位置を上記重ねプリント基板４０の貫通する位置、即ち、回転鋸２５の上端の刃２５ａが重ねプリント基板４０の上面から若干上方に突出する位置に設定し、上記回転鋸２５を同方向（矢印Ａ方向）に回転させた状態で上記送りモーター１５を前述と逆向きに回転させ、送りねじ１４、可動台１６を介して上記回転鋸２５を左方（矢印Ｘ２）方向に移動させる。これにより、上記重ねプリント基板４０の上部側、つまり残余部分を切断して該重ねプリント基板４０の切断を完了する。この場合、上記重ねプリント基板４０の最上面は、回転鋸２５の刃２５ａが下向き削り（矢印Ａ方向）によって切断されるため、この部にバリが発生しなくなる。
【００１４】
なお、本実施例では、重ねプリント基板を先に下側から切断するようにしたが、これは先に上側から切断するようにしてもよい。この場合、回転鋸２５の回転方向は前述と逆向きにする。また、重ねプリント基板４０に対して回転鋸２５を移動させるようにしたが、これは、回転鋸２５に対して重ねプリント基板４０を移動させるようにしても同様の効果を奏する。
【００１５】
【発明の効果】
以上の説明から明らかな如く、本願による発明は、多数枚重ねた重ねプリント基板を切断するに際し、回転鋸の切断位置を重ねプリント基板の重ね厚の中途位置に設定して一方の面側となる一部の重ねプリント基板を下向き削りで切断し、次いで上記回転鋸の切断位置を上記重ねプリント基板の重ね厚を貫通する位置に設定して残余の重ねプリント基板を同じく下向き削りで切断するようにしたので、従来のように、重ねプリント基板の上下面に捨て板を設ける必要がなくなり、高価な捨て板を要することなく円滑に切断することができ、テーブルへの載置作業が容易かつ迅速にできることになる。また、捨て板の厚み分をプリント基板に置き換えることができ、プリント基板の重ね枚数を増大させることができ、多数のプリント基板を迅速に切断することができる。
【図面の簡単な説明】
【図１】本発明に適用される切断機の概略正面図である。
【図２】従来例によるプリント基板の切断方法を示す説明図である。
【符号の説明】
１０      切断機
１１    テーブル
１２    クランプ装置
１３    ガイドレール
１４    送りねじ
１５    送りモーター
１６    可動台
１７    ナット
２０    カッターユニット
２１    駆動モーター
２２    支点軸
２３    アーム
２４    軸受
２５    回転鋸
２５ａ  上端の刃
２６    プーリー
２７    ベルト
３０    昇降装置
３１    ホルダ
３２    第１支点ピン
３３    昇降ねじ
３５    連結ナット
３６    支点ピン
【図１】
2004209584.tif 000003
【図２】
2004209584.tif 000004